(57)【要約】【課題】窓の室外側に配置した遮蔽材によって、日除けや目隠しをしたい部分のみを遮蔽することができ、しかも遮蔽材の上下方向の位置調整を室内側から行うことができるブラインド付きサッシを提供する。【解決手段】窓枠１と、窓枠１に嵌め込まれた障子２，３と、遮蔽材６を備えたサッシにおいて、遮蔽材６を出没自在に収納した遮蔽材収納部５を障子２，３の室外側に上下動自在に配設すると共に、遮蔽材収納部５の昇降機構１０と遮蔽材６を収納部５から出没させる昇降機構１１を回転軸１０ａ，１１ａを介して、室内側に設けたそれぞれの操作部１２，１３に連結する。【選択図】図１
2010163781.tif 000002
【特許請求の範囲】
【請求項１】
窓枠と、窓枠に組み込まれた障子と、障子の室外側に設けた遮蔽材と、この遮蔽材を出没自在に収納した遮蔽材収納部を備え、遮蔽材収納部が窓枠に設けたガイド部に案内されて昇降すると共に、遮蔽材の昇降機構と遮蔽材収納部の昇降機構の操作部が室内側に設けてあることを特徴とするサッシ。
【請求項２】
障子は、窓枠の上下部を開閉することを特徴とする請求項１に記載のサッシ。
【請求項３】
遮蔽材の昇降機構及び遮蔽材収納部の昇降機構は、室内外方向に設けた円筒部内に回転自在に挿通された回転軸でそれぞれの操作部に連結されていると共に、円筒部は室内側部材と室外側部材から成り、両部材が円筒部の長さ調整可能に連結されていることを特徴とする請求項１又は２に記載のサッシ。  
【請求項４】
窓枠に組み込まれた障子の室外側に設ける遮蔽材と、この遮蔽材を出没自在に収納した遮蔽材収納部を備え、遮蔽材収納部がガイド部に案内されて昇降すると共に、遮蔽材の昇降機構と遮蔽材収納部の昇降機構の操作部が室内側に設けてあることを特徴とするブラインド。
【発明の詳細な説明】
【技術分野】
【０００１】
本発明は、建物の開口部に取り付けられた窓の外側に配置されるブラインドに係わり、さらに詳しくは、室外側に備えたブラインドを室内側から操作できるようにしたブラインドと、このようなブラインドを備えたサッシに関するものである。
【背景技術】
【０００２】
ブラインド装置としては、種々の構造のものが知られており、例えば特許文献１には、窓の全体や上方を遮蔽するばかりでなく、日除けや目隠しをしたい部分のみを遮蔽することができるように、遮蔽部材の昇降機構を内蔵したヘッドボックスを窓枠から昇降自在に吊り下げ、ヘッドボックス下方の所望部分のみを遮蔽できるようにしたブラインドが開示されている。
【０００３】
一般に、このようなブラインドは、上下操作の都合上、窓の室内側に取り付けられることが多いが、日光を遮蔽し、室内の温度上昇を防止する観点からは、室内側よりも、室外側に設けることが望ましい。
なお、遮蔽部材（ロール巻取式スクリーン）を室外側に配置した例としては、特許文献２に記載されたシャッター付きサッシ装置が知られている。
【先行技術文献】
【特許文献】
【０００４】
【特許文献１】実開昭６３−１５６３９９号公報
【特許文献２】特開平１０−２９９３４９号公報
【発明の概要】
【発明が解決しようとする課題】
【０００５】
しかしながら、特許文献１に記載のブラインドにおいては、遮蔽部材やその昇降機構を内蔵したヘッドボックスを昇降操作するための昇降コードがヘッドボックスに取り付けられ、遮蔽部材と同じ側に位置しているため、このようなブラインドを室外側に取り付けた場合には、これらの昇降操作を室内側から行うことが難しい。
また、特許文献２に記載のシャッター付きサッシ装置においても、遮蔽部材（スクリーン）の引手棒が室外側に取り付けてあり、その開閉操作は室外側から行うことになり、同様に煩わしいものとなる。
【０００６】
本発明は、遮蔽部材を室外側に配置したブラインド装置における上記課題を解決すべくなされたものであって、その目的とするところは、室外側に配置した遮蔽材によって、日除けや目隠しをしたい部分のみを遮蔽することができ、しかもその位置調整を室内側から行うことができるブラインドや、このようなブラインドを備えたサッシを提供することにある。
【課題を解決するための手段】
【０００７】
本発明のサッシは、窓枠と、窓枠に組み込まれた障子と、障子の室外側に設けた遮蔽材と、この遮蔽材を出没自在に収納した遮蔽材収納部を備え、遮蔽材収納部が窓枠に設けたガイド部に案内されて昇降すると共に、遮蔽材の昇降機構と遮蔽材収納部の昇降機構の操作部が室内側に設けてあることを特徴とし、サッシにおけるこのような構成を前述した課題を解決するための手段としている。
【０００８】
本発明のサッシの好適形態としては、窓枠に嵌め込まれた障子が窓枠の上下部を開閉するようになっていることを特徴とし、さらなる好適形態においては、遮蔽材の昇降機構及び遮蔽材収納部の昇降機構は、室内外方向に設けた円筒部内に回転自在に挿通された回転軸でそれぞれの操作部に連結されていると共に、円筒部は室内側部材と室外側部材から成り、両部材が円筒部の長さ調整可能に連結されていることを特徴とする。
【０００９】
また、本発明のブラインドは、窓枠に組み込まれた障子の室外側に設ける遮蔽材と、この遮蔽材を出没自在に収納した遮蔽材収納部を備え、遮蔽材収納部がガイド部に案内されて昇降すると共に、遮蔽材の昇降機構と遮蔽材収納部の昇降機構の操作部が室内側に設けてあることを特徴としている。
【発明の効果】
【００１０】
本発明のサッシによれば、遮蔽材を出没自在に収納した遮蔽材収納部が室外側に配置され、窓枠に設けたガイド部に案内されて昇降するようにしてあるので、日射による室内温度の上昇を室外側に位置する遮蔽材によってより効果的に抑えることができる。
また、室外及び室内の状況に応じて遮蔽材を上下方向に移動させることにより、窓の下方のみならず上方側をも開放することができ、日差しや人目を遮りながら、室内への採光を自由に調整することができる。
【００１１】
そして、遮蔽材の昇降機構と遮蔽材収納部の昇降機構の操作部が室内側に設けてあるので、遮蔽材の位置を室内側から調整することができる。このとき、遮蔽材収納部がガイド部に案内されて昇降するため、円滑な上下動が得られ、遮蔽材収納部が風に煽られるようなことがなくなり、安定した遮蔽材収納部の昇降作動や遮光材の昇降作動を長期に亘って維持することができる。
【００１２】
本発明の好適形態のサッシによれば、窓枠に嵌め込まれた障子が窓枠の上下部を開閉するようになっていることから、遮蔽材の位置に応じて、障子の開閉位置を調整することによって、採光性に加えて、室内への採風性や換気性をもより良好なものとすることができるようになる。
【００１３】
本発明によるサッシの他の好適形態においては、上記に加えて、遮蔽材の昇降機構と遮蔽材収納部の昇降機構が室内外方向に設けた円筒部内に回転自在に挿通された回転軸を介してそれぞれの操作部に連結されていることから、遮蔽材収納部の昇降操作や遮蔽材収納部からの遮蔽材の昇降操作を室内側から行うことができる。また、円筒部が室内側部材と室外側部材から成り、円筒部の全体の長さを調整できるように連結されているので、厚さの異なる窓枠や躯体への対応を容易なものとすることができる。
【００１４】
本発明のブラインドは、遮蔽材と、この遮蔽材を出没自在に収納した遮蔽材収納部を障子の室外側に備え、この遮蔽材収納部がガイド部に案内されて昇降すると共に、遮蔽材の昇降機構と遮蔽材収納部の昇降機構の操作部が室内側に設けてあることから、既製のサッシの窓枠や、既存の建物における窓枠の周囲の躯体部分に取り付けることができ、上記したサッシと同様の効果が得られる。
【図面の簡単な説明】
【００１５】
【図１】本発明のサッシ（一体タイプ）の一実施例を示す室外側からの正面図（ａ）、縦断面図（ｂ）及び室内側からの正面図（ｃ）である。
【図２】図１に示したサッシの拡大縦断面図である。
【図３】図２のＡ−Ａ面における水平断面図である。
【図４】図２のＢ−Ｂ面における水平断面図である。
【図５】図４の要部拡大図である。
【図６】本発明のブラインドを取り付けたサッシ（後付タイプ）の実施例を示す室外側からの正面図（ａ）、縦断面図（ｂ）及び室内側からの正面図（ｃ）である。
【図７】図６に示したサッシの拡大縦断面図である。
【図８】昇降機構とその操作部とを連結するための回転軸及び円筒部の配置状態を示す水平断面図である。
【図９】図８に示した円筒部を構成する室内側部材（ａ）、室外側部材（ｂ）及びこれらの連結状態（ｃ）を示すそれぞれ断面図である。
【図１０】図８に示した回転軸の構造を示す正面図及び側面図である。
【図１１】本発明におけるスクリーン駆動系の構造とその作動を説明する概略縦断面図である。
【図１２】図１１に示したスクリーン駆動系の上部構造（ａ）及び下部構造（ｂ）を説明するそれぞれ概略水平断面図である。
【図１３】スクリーン駆動系の他の構造例とその作動を説明する概略正面図（ａ）及び概略縦断面図（ｂ）である。
【図１４】図１３に示したスクリーン駆動系の上部構造（ａ）及び下部構造（ｂ）を説明するそれぞれ概略水平断面図である。
【発明を実施するための形態】
【００１６】
以下、本発明の実施の形態を図面を参照して説明する。
【００１７】
図１〜４は、本発明のサッシの一実施例として、窓枠とブラインド装置とが一体化されたタイプのものを示し、図１（ａ）は、その室外側からの正面図、図１（ｂ）は縦断面図、図１（ｃ）は室内側からの正面図（図１（ａ）の背面図）である。
また、図２は、図１（ｂ）に示した縦断面図の拡大図、図３及び図４は、それぞれ図２のＡ−Ａ面及びＢ−Ｂ面における水平断面図である。
【００１８】
図に示すサッシは、内観姿図である図１（ｃ）に示すように、躯体の開口部に固定された窓枠１と、この窓枠１内に上下動可能に嵌め込まれた２枚の障子２及び３を備えている。
ここで、窓枠１の上部には、上げ下げ窓用のバランサー４が取り付けてあり、内蔵したばねによって、障子２，３の持ち上げ方向の力が常時加わるようになっており、力のない子供や老人にも容易に障子の開閉ができるようにしてある。
【００１９】
障子２，３の室外側には、スクリーンドラム５ａを内蔵し、このスクリーンドラム５ａにスクリーン（遮蔽材）６を巻き取り状態に収納したスクリーンドラムボックス（遮蔽材収納部）５が配置されている。
なお、スクリーンドラム５ａにはばねが内蔵され、ドラム５ａをスクリーン６の巻き取り回転方向に付勢しているが、スクリーン６の先端部（下端側）には、ばねの付勢力に勝る重さのボトムバー６ａが取り付けられている。したがって、ボトムバー６ａがフリーな状態では、スクリーン６にはドラムボックス５から繰り出される方向の力が加わることになるが、ボトムバー６ａを持ち上げ状態に支持すれば、ばねの付勢力によって持ち上げた分だけ巻き取られ、スクリーン６が撓むことなくドラムボックス５の中に収納されるようになっている。
【００２０】
窓枠１を構成する竪枠の室外側には、ガイド材７，７が固定されており、後述するクランクハンドル１２の操作に基づいて、スクリーンドラムボックス５が、ガイド材７，７に沿って昇降するようになっている。
なお、ガイド材７には、拡大して図５にも示すように、Ｌ字形断面を有する突起状のガイド部７ａが形成されており、このガイド部７ａに、スクリーンドラムボックス５に取り付けられたＬ字状突片５ｂが係合するようになっており、スクリーンドラムボックス５の昇降作動がガイド部７ａに案内されて円滑なものとなる一方、風によるがたつきをも抑えることができる。
【００２１】
一方、窓枠１の上枠には、その室外側に、スクリーンドラムボックス収納庇８が設けてあり、スクリーンドラムボックス５がその最上昇位置において収納されるようになっていると共に、このドラムボックス収納庇８の中には、スクリーンドラムボックス５を昇降作動させるためのドラムボックス昇降機構（遮蔽材収納部の昇降機構）１０と、スクリーン６をスクリーンドラムボックス５から出没させるためのスクリーン昇降機構（遮蔽材の昇降機構）１１が配置してある。
【００２２】
これら昇降機構１０及び昇降機構１１は、回転軸１４及び１５によって、それぞれ室内側に配置したドラムボックス昇降用のクランクハンドル１２（操作部）及びスクリーン昇降用のボールチェーン１３（操作部）に連結され、ドラムボックス５の昇降操作及びスクリーン６の昇降操作が室内側からできるようになっている。
【００２３】
図６及び図７は、図１〜４に示したブラインド一体タイプのサッシに対して、既製の窓に後からブラインドを取り付ける後付タイプの例を示すものであって、図６（ａ）は、その室外側からの正面図、図６（ｂ）は縦断面図、図６（ｃ）は室内側からの正面図（図６（ａ）の背面図）である。また、図７は、図６（ｂ）に示した縦断面図の拡大図である。
【００２４】
これらの図に示すように、ブラインドを後付けする場合には、ブラインドを構成するガイド材７（竪枠）やスクリーンドラムボックス収納庇８（上枠）、下枠９が、窓枠１の周囲の躯体に直接取り付けられることになる。また、ドラムボックス昇降機構１０とこれを室内側から操作するクランクハンドル１２とを連結する回転軸１４と、スクリーン昇降機構１１とこれを室内側から操作するボールチェーン１３とを連結する回転軸１５が躯体を貫通した状態に設けてある。
これら以外の部分は、上記した一体タイプのサッシと基本的に変わるところはなく、同一部分については、同じ参照番号を付すことによって説明を省略する。
【００２５】
図８は、スクリーン６をスクリーンドラムボックス５から出没作動させるためのスクリーン昇降機構１１を室内側側に配置したボールチェーン１３と連結するための回転軸１５の配置状態を示すものである。なお、ドラムボックス５の昇降機構１０とクランクハンドル１２との連結構造においても、回転軸１４の部分については基本的に同じ構造を有している。
図に示すように、回転軸１５は、躯体に貫通状態に取り付けられた円筒部１６の中空部内に回転自在に挿通されている。
【００２６】
円筒部１６は、図９（ａ）に示すように、図中右側端部に固定用のフランジ１６ｃを備えた中空円筒状をなし、躯体の室内側に装着される室内側部材１６ａと、図９（ｂ）に示すように、室内側部材１６ａよりもやや太径の中空円筒状をなし、図中左側端部に固定用のフランジ１６ｄを備え、躯体室外側に装着される室外側部材１６ｂから成る。
【００２７】
室内側部材１６ａは、フランジ１６ｃとは反対側の外面に、全長の約半分の長さに亘っておねじ部１６ｅを備える一方、室外側部材１６ｂは、フランジ１６ｄとは反対側の内面に、室内側部材１６ａのおねじ部１６ｅに螺合するめねじ部１６ｆを全長の約半分の長さに亘って備えている。
【００２８】
そして、図９（ｃ）に示すように、室内側部材１６ａのおねじ部１６ｅを室外側部材１６ｂのめねじ部１６ｆにねじ込むことによって、円筒部１６として使用される。
そして、このときのねじ込み深さを調整することによって、円筒部１６の全長を任意に変更することができることから、回転軸１５の支持部材として、躯体の厚さ寸法の変化に容易に対応することができる。
【００２９】
なお、先に図１〜４に示した一体タイプのサッシにおいては、これら回転軸１４，１５が窓枠１の上枠を貫通する状態に取り付けられることになるが、このような構造の円筒部１６を適用することによって、寸法の異なる仕様の窓枠の間でも、部品の共用が可能になる。
【００３０】
一方、回転軸１５は、図１０に示すように、六角形断面を有する棒状のものであって、図中右側の端部にはめねじ１５ａが形成されており、スクリーン６の昇降操作用のボールチェーン１３が取り付けられるようになっている。
【００３１】
回転軸１５における図中左側の先端部は、スクリーン昇降機構１１のギヤボックス１１ａの入力軸に形成した六角穴に嵌合するようになっており、ボールチェーン１３の操作に基づく回転軸１５の回転がギヤボックス１１ａによって、スクリーン昇降用連動軸１１ｂに伝達される。
なお、躯体の厚さ寸法の変化に伴う回転軸１５の長さ調整については、切断することによって対応することができる。
【００３２】
スクリーンドラムボックス５の昇降機構１０と、その操作を行うクランクハンドル１２との間を連結する回転軸１４についても、同様に室内側部材１６ａと室外側部材１６ｂから成る円筒部１６によって回転自在に挿通されている。
そして、回転軸１４の先端部は、同様にドラムボックス昇降機構１０の入力軸に形成された六角穴に嵌合するようになっており、クランクハンドル１２の操作による回転軸１４の回転がギヤボックス１０ａによって、ドラムボックス昇降用連動軸１０ｂに伝達されるようにしてある。
【００３３】
図１１及び図１２は、上記したサッシにおけるスクリーン６の開閉操作を説明するためのものであって、図１１は、ドラムボックス昇降機構１０及びスクリーン昇降機構１１と、スクリーンドラムボックス５及びスクリーン６との連結状態を示す概略縦断面図である。
また、図１２（ａ）は、ドラムボックス昇降機構１０及びスクリーン昇降機構１１と、回転軸１４及び１５との連結状態を示す駆動系上部における概略水平断面図、図１２（ｂ）は、スクリーンドラムボックス５及びスクリーン６とドラムボックス昇降機構１０及びスクリーン昇降機構１１との位置関係を示す駆動系下部における概略水平断面図である。
【００３４】
これらの図に示すように、ギヤボックス１０ａを介してクランクハンドル１２の回転が伝達されるドラムボックス昇降用連動軸１０ｂの両端部には、ワイヤ巻き取りプーリー１０ｃがそれぞれ固定されている。これらプーリー１０ｃにはドラムボックス昇降ワイヤ１０ｄ，１０ｄがそれぞれ巻き取られており、これらワイヤ１０ｄの先端はスクリーンドラムボックス５の両端部にそれぞれ連結されている。
すなわち、スクリーンドラムボックス５は、２本のワイヤ１０ｄによりドラムボックス昇降機構１０のプーリー１０ｃ，１０ｃから吊り下げられた状態となっており、ドラムボックス昇降用連動軸１０ｂの回転によって上下動するようになっている。
【００３５】
一方、ボールチェーン１３の操作による回転軸１５の回転がギヤボックス１１ａを介して伝達されるスクリーン昇降用連動軸１１ｂの両端部には、同様にワイヤ巻き取りプーリー１１ｃがそれぞれ固定されている。そして、これらプーリー１１ｃに巻き取られたスクリーン昇降ワイヤ１１ｄ，１１ｄの先端がスクリーン６の下端に取り付けられたボトムバー６ａの両端にそれぞれ連結されている。
【００３６】
スクリーン６を全開状態とするには、まずドラムボックス昇降用のクランクハンドル１２を右回転する。これによる回転軸１４の回転がギヤボックス１０ａにより、ドラムボックス昇降用連動軸１０ｂの回転に変換され、ワイヤ巻き取りプーリー１０ｃ，１０ｃにドラムボックス昇降ワイヤ１０ｄ，１０ｄが巻き取られることにより、スクリーンドラムボックス５が上昇する。
スクリーンドラムボックス５が上端位置に達すると、ストッパーに当たってクランクハンドル１２が回転しなくなるので、その位置でクランクハンドル１２の回転操作を停止する。
【００３７】
このとき、ドラムボックス５はドラムボックス収納庇８の中に収納されており、正面側から見えなくなっている。
一方、スクリーン６は、その下端部に取り付けたボトムバー６ａが当初の位置に留まっているため、ドラムボックス５の上昇分だけ、ドラムボックス５から繰り出された状態となっている。
【００３８】
次に、ボールチェーン１３の右側を下方に手繰ると、これによる回転軸１５の回転がギヤボックス１１ａによってスクリーン昇降用連動軸１１ｂの回転に変換され、ワイヤ巻き取りプーリー１１ｃ，１１ｃにスクリーン昇降ワイヤ１１ｄ，１１ｄが巻き取られ、スクリーン６の下端部のボトムバー６ａが同様に上昇する。
ボトムバー６ａが上昇すると、スクリーン６は、ばねによって巻き取り方向に回転付勢されているスクリーンドラム５ａによって上昇分だけ巻き取られ、スクリーンドラムボックス５の内部に収納される。
【００３９】
さらに、ボトムバー６ａがスクリーンドラムボックス５の下端部に当接するまでボールチェーン１３の操作を続けることによって、スクリーン６が全長に亘ってスクリーンドラム５ａに巻き取られ、ボックス５内に収納されて、スクリーン６を全開状態とすることができる。
【００４０】
この状態で、ボールチェーン１３の左側を下方に手繰ると、スクリーン昇降機構１１のスクリーン昇降用連動軸１１ｂが逆方向に回転することによって、プーリー１１ｃ，１１ｃからワイヤ１１ｄ，１１ｄが巻き戻される結果、スクリーン６のボトムバー６ａが下降する。
【００４１】
ボトムバー６ａが下降すると、その重量によってスクリーン６がスクリーンドラム５ａから巻き戻されて、スクリーン６がその下降分だけスクリーンドラムボックス５から繰り出される。そして、ボトムバー６ａがガイド材７に設けたストッパーによって停止するまで、ボールチェーン１３の操作を続けることによって、スクリーン６が全閉状態となる。
このとき、ボールチェーン１３の操作を途中で停止すことにより、ボトムバー６ａが中間位置に留まることになり、窓の下側のみを開放した半開状態とすることができることは言うまでもない。
【００４２】
スクリーン６の全閉状態において、ドラムボックス昇降用のクランクハンドル１２を左回転すると、ドラムボックス昇降機構１０のドラムボックス昇降用連動軸１０ｂが逆方向に回転し、プーリー１０ｃ，１０ｃからワイヤ１０ｄ，１０ｄがそれぞれ巻き戻されることによって、スクリーンドラムボックス５が下降し始める。
ドラムボックス５が下降すると、巻き取り方向に回転付勢されているスクリーンドラム５ａによってスクリーン６が巻き込まれ、ドラムボックス５が下降した分だけスクリーンドラムボックス５に収納され、所望の位置でハンドル操作を停止することによって、窓の上側のみが開放された半開状態となる。
【００４３】
そして、この状態で、スクリーン昇降用のボールチェーン１３の右側を下方に手繰るように操作すると、スクリーン昇降機構１１のプーリー１１ｃ，１１ｃによってスクリーン６のボトムバー６ａが巻き上げられ、上昇に応じてスクリーン６がドラムボックス５の中に収納される。
その結果、窓の上方と下方とを同時に開放して、窓の中央部のみをスクリーン６によって覆うことができる。
【００４４】
このように、本発明のサッシにおいては、スクリーン６を所望の位置に移動させることができ、窓の下側のみならず、窓の上側や、窓の上側と下側とを同時に開放することができる。
したがって、スクリーン６の位置を障子２，３の開閉と併せて調整することによって、日差しや屋外からの視線の方向に応じて、日除けや目隠しをしながら、採光性や採風性、換気性をも広範囲に調整することができる。
【００４５】
上記した実施例においては、遮蔽材として、巻き取り式のロールスクリーン６を用いた例を示したが、本発明のサッシやブラインドに用いる遮蔽材としては、巻き取り式のもののみに限定される訳ではなく、折りたたみ式のものや、多数の羽根板から成るものを用いることができる。
なお、本発明において「遮蔽材」とは、多少の遮光性を有し、日除けや外部からの目隠しが可能である限り、不透明な材料のみに限定されるものではなく、適当な透光生を有する半透明やレース状のもの、柄や模様を備えたものなど、種々の材料を用いることができる。
【００４６】
また、上記した実施例においては、上下動する障子２，３を窓枠１に嵌め込んだ例を示したが、この他に、嵌め殺し障子や回転障子、さらには中央部を嵌め殺し障子とし、その上部及び下部を内倒し障子とする等、種々の形態の障子を採用することが可能である。
【００４７】
さらに、ドラムボックス昇降機構１０やスクリーン昇降機構１１についても、上記したワイヤ巻き取り式のみに限定されることはなく、種々の機構を採用することができ、例えば、図１３及び図１４に示すようなギヤードケーブル方式を採用することもできる。
【００４８】
すなわち、図１３（ａ）はギヤードケーブル式のブラインドにおける昇降機構を示す概略正面図、図１３（ｂ）はその概略縦断面図である。また、図１４（ａ）は駆動系上部における概略水平断面図、図１２（ｂ）は駆動系下部における概略水平断面図である。
【００４９】
図において、スクリーンドラムボックス５の両端部には、芯ケーブルの周囲にワイヤをスパイラル状に巻き付けた構造のギヤードケーブル１８ａがそれぞれ固定されている。
これら２本のギヤードケーブル１８ａは、図外のスクリーンドラムボックス収納庇８の内部左右両側に設けたスクリーンドラムボックス昇降用ケーブルコネクター１８ｂ，１８ｂの内部に回転可能に配置されためねじ部材（図示せず）にそれぞれ噛み合わされている。
【００５０】
図外のドラムボックス昇降用のクランクハンドル１２の回転が操作ケーブル１８ｃを介して図中右側のケーブルコネクター１８ｂ内のめねじ部材に伝達されると、ドラムボックス昇降用連動軸１８ｄによって図中左側のめねじ部材もこれに同期して回転する。両めねじ部材が回転すると、これに噛み合うギヤードケーブル１８ａ，１８ａが引き上げられ、ギヤードケーブル１８ａ，１８ａと共にスクリーンドラムボックス５が水平状態を維持しながら昇降する。
ドラムボックス５の上昇によってケーブルコネクター１８ｂから突出するギヤードケーブル１８ａの上端側は、ケーブルコネクター１８ｂに連設されたパイプ１８ｅ内にそれぞれ案内されるようにしてあり、これらによってドラムボックス５の昇降機構１８が構成されている。
【００５１】
一方、スクリーン６のボトムバー６ａの両端は、同様のギヤードケーブル１９ａがそれぞれ固定されており、これら２本のギヤードケーブル１９ａは、左右両側に設けたスクリーン昇降用ケーブルコネクター１９ｂ，１９ｂの内部に回転可能に配置されためねじ部材（図示せず）にそれぞれ噛み合っている。
【００５２】
図外のスクリーン昇降用のボールチェーン１３の操作がケーブル１９ｃを介して図中左側のケーブルコネクター１９ｂのめねじ部材に伝達されると、スクリーン昇降用連動軸１９ｄによって図中右側のめねじ部材がこれに同期して回転し、これによってギヤードケーブル１９ａ，１９ａと共にボトムバー６ａが昇降するようになっており、これらによってスクリーン６の昇降機構１９が構成されている。
【００５３】
このようなドラムボックス昇降機構１８やスクリーン昇降機構１９においても、クランクハンドル１２やボールチェーン１３を操作することによって、スクリーンドラムボックス５の昇降や、スクリーン６のドラムボックス５からの出没を制御することができる。
したがって、窓の任意位置のみをスクリーン６によって覆うことができ、同様に目隠しや日除けしながら、採光状態や採風状態を好適に調整することができる。
【符号の説明】
【００５４】
１  窓枠
２、３  障子
５  スクリーンドラムボックス（遮蔽材収納部）
６  スクリーン（遮蔽材）
７ａ  ガイド部
１０、１８  ドラムボックス昇降機構（遮蔽材収納部の昇降機構）
１１、１９  スクリーン昇降機構（遮蔽材の昇降機構）
１２  クランクハンドル（操作部）
１３  ボールチェーン（操作部）
１４、１５  回転軸
１６  円筒部
１６ａ  室内側部材
１６ｂ  室外側部材
【図１】
2010163781.tif 000003
【図２】
2010163781.tif 000004
【図３】
2010163781.tif 000005
【図４】
2010163781.tif 000006
【図５】
2010163781.tif 000007
【図６】
2010163781.tif 000008
【図７】
2010163781.tif 000009
【図８】
2010163781.tif 000010
【図９】
2010163781.tif 000011
【図１０】
2010163781.tif 000012
【図１１】
2010163781.tif 000013
【図１２】
2010163781.tif 000014
【図１３】
2010163781.tif 000015
【図１４】
2010163781.tif 000016